(57)【要約】【課題】  簡易な構成にして簡単に組み込み可能な偏平板を備えるだけで、小容器に収容した調理材の保温性を向上できる極めて優れたランチジャーを提供するものである。【解決手段】  収容部１と、この収容部１の上部開口部を閉塞する蓋部２とによりなる収容体３に、みそ汁やご飯やおかず等の調理材を収容する複数の小容器４を前記収容部１内に上下複数段積み重ね状態にして収容自在に構成したランチジャーにおいて、前記収容部１の内径より径大であって且つ屈曲柔軟性若しくは弾圧当接し得る弾性を有する材質で先細り形状に構成された外周縁部を有する偏平板５を、この偏平板５の前記外周縁部をこの収容部１の内面に当接させてこの収容部１の内面と前記小容器４外面との間隙を上方から閉塞するように配設したランチジャー。【選択図】      図１
2006042944.tif 000002
【特許請求の範囲】
【請求項１】
収容部と、この収容部の上部開口部を閉塞する蓋部とによりなる収容体に、みそ汁やご飯やおかず等の調理材を収容する複数の小容器を前記収容部内に上下複数段積み重ね状態にして収容自在に構成したランチジャーにおいて、前記収容部の内径と同等若しくは径大な偏平板を、この偏平板の外周縁部をこの収容部の内面に当接させてこの収容部の内面と前記小容器外面との間隙を上方から閉塞するように配設したことを特徴とするランチジャー。
【請求項２】
前記偏平板を前記上下複数段積み重ね収容される小容器と小容器との間に配設したことを特徴とする請求項１記載のランチジャー。
【請求項３】
前記下側に配設される小容器の上部に前記偏平板を載置配設して、この小容器外面と収容部の内面との間隙を上方から閉塞してこの下側の小容器の暖気が上側の小容器の周囲へ上昇伝達することを阻止するように構成したことを特徴とする請求項１，２のいずれか１項に記載のランチジャー。
【請求項４】
前記偏平板若しくは偏平板の前記収容部の内面に当接する外周縁部は、屈曲柔軟性若しくは弾圧当接し得る弾性を有する材質で構成したことを特徴とする請求項１〜３のいずれか１項に記載のランチジャー。
【請求項５】
前記偏平板は、柔軟性を有する材質で構成すると共に、補強若しくは保形のための芯材を埋設若しくは付設したことを特徴とする請求項１〜４のいずれか１項に記載のランチジャー。
【請求項６】
前記扁平板は、リング状に構成されていることを特徴とする請求項１〜５のいずれか１項に記載のランチジャー。
【発明の詳細な説明】
【技術分野】
【０００１】
本発明は、ランチジャーに関するものである。
【背景技術】
【０００２】
みそ汁を収容する汁容器やご飯を収容する飯容器、おかずを収容する菜容器等の複数の小容器を同時に収容するタイプのランチジャーは、これら複数の小容器を上下複数段に積み重ねた状態にして断熱構造を有する収容部に収容して蓋をすることにより、各小容器に入った食物の温度を一定時間保温するものである。
【０００３】
従来より、このようなランチジャーの保温性を高めるために、収容部は勿論、蓋や小容器に種々の断熱構造が提案されている。
【発明の開示】
【発明が解決しようとする課題】
【０００４】
ところで、出願人は、上述したランチジャーにおいて、蓋や小容器の断熱構造を簡略にして低コスト化を実現した場合、小容器に収容した調理材が、収容部の内面と小容器外面との間隙の空気を温めて、この温かな空気（暖気）が収容部の内面と小容器外面との隙間を上昇するが、この隙間を上昇した空気（暖気）が蓋側で冷却されてしまうため、各小容器に入った調理材が冷めやすいといった問題とともに、下側の小容器に収容した調理材が収容部の内面と下側の小容器外面との間隙の空気を温めて、この収容部の内面と下側の小容器外面との隙間の温かな空気（暖気）が収容部の内面と上側の小容器外面へ上昇する際、上側の小容器の調理材がこの暖気で温熱され、例えば、下側の小容器に暖かいご飯を詰め、上側の小容器に漬物や生野菜等を含んだおかずを詰めた場合に、この上側のおかずが温熱されてしまうという不都合が生じることを見出した。
【０００５】
即ち、蓋や小容器の断熱構造を簡略にして低コスト化を実現したランチジャーは、小容器に収容した調理材の保温性が今一つ十分ではないという問題が生じる。
【０００６】
本発明は上述の問題点を鑑みこれを解決したもので、簡易な構成にして簡単に組み込み可能な偏平板を備えるだけで、小容器に収容した調理材の保温性を向上できる極めて優れたランチジャーを提供するものである。
【課題を解決するための手段】
【０００７】
添付図面を参照して本発明の要旨を説明する。
【０００８】
収容部１と、この収容部１の上部開口部を閉塞する蓋部２とによりなる収容体３に、みそ汁やご飯やおかず等の調理材を収容する複数の小容器４を前記収容部１内に上下複数段積み重ね状態にして収容自在に構成したランチジャーにおいて、前記収容部１の内径と同等若しくは径大な偏平板５を、この偏平板５の外周縁部をこの収容部１の内面に当接させてこの収容部１の内面と前記小容器４外面との間隙を上方から閉塞するように配設したことを特徴とするランチジャーに係るものである。
【０００９】
また、前記偏平板５を前記上下複数段積み重ね収容される小容器４と小容器４との間に配設したことを特徴とする請求項１記載のランチジャーに係るものである。
【００１０】
また、前記下側に配設される小容器４の上部に前記偏平板５を載置配設して、この小容器４外面と収容部１の内面との間隙を上方から閉塞してこの下側の小容器４の暖気が上側の小容器４の周囲へ上昇伝達することを阻止するように構成したことを特徴とする請求項１，２のいずれか１項に記載のランチジャーに係るものである。
【００１１】
また、前記偏平板５若しくは偏平板５の前記収容部１の内面に当接する外周縁部は、屈曲柔軟性若しくは弾圧当接し得る弾性を有する材質で構成したことを特徴とする請求項１〜３のいずれか１項に記載のランチジャーに係るものである。
【００１２】
また、前記偏平板５は、柔軟性を有する材質で構成すると共に、補強若しくは保形のための芯材６を埋設若しくは付設したことを特徴とする請求項１〜４のいずれか１項に記載のランチジャーに係るものである。
【００１３】
また、前記扁平板５は、リング状に構成されていることを特徴とする請求項１〜５のいずれか１項に記載のランチジャーに係るものである。
【発明の効果】
【００１４】
本発明は上述のように構成したから、偏平板が収容部の内面と小容器外面との間隙を上方から閉塞して、収容部の内面と小容器外面との間隙に暖気を閉じ込めるため、収容部，蓋部及び小容器に高価なあるいは複雑な断熱構造を施すことなく、簡易な構成にして簡単に組み込み可能な前記偏平板を備えるだけで小容器に収容した調理材の保温性を向上できる極めて優れたランチジャーとなる。
【００１５】
また、請求項２に記載の発明によれば、前記偏平板を前記上下複数段積み重ね収容される小容器と小容器との間に配設したことで、この偏平板が収容部の内面と下側の小容器外面との間隙を上方から閉塞して、収容部の内面と下側の小容器外面との間隙に暖気を閉じ込めるため、下側の小容器に収容した調理材の保温性を簡単に向上できるとともに、収容部の内面と下側の小容器外面との間隙に暖気を閉じ込めることにより、この暖気が収容部の内面と上側の小容器外面の間隙に上昇することがなくなり、よって、上側の小容器の調理材がこの暖気で温熱されることがないため、例えば、下側の小容器に暖かいご飯を詰め、上側の小容器に漬物や生野菜等を含んだおかずを詰めた場合に、この上側のおかずの温熱を防止できるランチジャーとなる。
【００１６】
また、請求項３に記載の発明によれば、小容器を下から順番に重ね入れる際に、この小容器の上部に偏平板を載置配設するという簡易な手段で、小容器と小容器とが所望の位置で断熱セパレートできるので、特別な係止構造を着脱構造を設けずとも所望の位置に簡単に着脱自在にセットでき、前記保温並びに上方への暖気遮断が簡単にして確実に果たせる極めて実用性に優れた画期的なランチジャーとなる。
【００１７】
また、請求項４に記載の発明によれば、偏平板の外周縁部が屈曲柔軟性若しくは弾圧当接し得る弾性を有する材質であるため、この偏平板の外周縁部が収容部の内面に簡単に密着でき、よって、小容器に収容した調理材の保温性をより一層簡単に向上できるるランチジャーとなる。
【００１８】
また、請求項５に記載の発明によれば、偏平板は柔軟性を有するため、小容器と小容器との間若しくは小容器の上部に密着して小容器と小容器との間若しくは収容部の内面と小容器外面との間隙が上方から密着断熱できるとともに、この柔軟性を有する偏平板が芯材により補強及び保形されるため、この偏平板の耐久性が向上でき、取り付けや取り外しが容易なランチジャーとなる。
【００１９】
また、請求項６に記載の発明によれば、偏平板はリング状であるため、中空部分の材料が節約でき低コスト化し得るだけでなく、このリング状の偏平板の内側縁を掴むことにより、取り付けや取り外しが一層容易なランチジャーとなる。
【発明を実施するための最良の形態】
【００２０】
好適と考える本発明の実施形態（発明をどのように実施するか）を、図面に基づいて本発明の作用を示して簡単に説明する。
【００２１】
複数の小容器４を上下複数段積み重ね状態に収容した収容部１内に、偏平板５を配設する。
【００２２】
この際、前記偏平板５を、前記収容部１の内径と同等若しくは径大とし、この偏平板５を前記収容部１の内面と前記小容器４外面との間に生じる間隙の上方に配設すると、前記偏平板５の外周縁部が前記収容部１の内面に当接し、前記収容部１の内面と前記小容器４外面との間隙を上方から閉塞する。
【００２３】
よって、収容部１の内面と小容器４外面との間隙に暖気が閉じ込められることとなり、従って、みそ汁やご飯等の調理材を収容する複数の小容器４を収容する収容部１と、この収容部１の上部開口部を閉塞する蓋部２とによりなる収容体３の保温性が向上する。
【００２４】
即ち、従来のように蓋部２や小容器４の断熱構造を簡略にして低コスト化を実現すると、小容器４に収容した調理材が、収容部１の内面と小容器４外面との間隙の空気を温めて、この温かな空気（暖気）が収容部１の内面と小容器４外面との隙間を上昇するが、この隙間を上昇した空気（暖気）が蓋部２側で冷却されてしまうため、各小容器４に入った調理材が冷めやすい場合があった。この点、本発明は、偏平板５が収容部１の内面と小容器４外面との間隙を上方から閉塞して、収容部１の内面と小容器４外面との間隙に暖気を閉じ込めるため、この暖気が蓋部２側で冷却されることがなくなり、よって、収容部１，蓋部２及び小容器４に高価なあるいは複雑な断熱構造を施すことなく、簡易な構成にして簡単に組み込み可能な前記偏平板５を備えるだけで、小容器４に収容した調理材の保温性が向上する。
【００２５】
また、例えば、前記偏平板５を前記上下複数段積み重ね収容される小容器４と小容器４との間に載置配設した構成とした場合、収容部１の内面と下側の小容器４外面との間隙に暖気を閉じ込めることにより、下側の小容器４に収容した調理材の保温性を簡単に向上できるとともに、この暖気が収容部１の内面と上側の小容器４外面の間隙に上昇することがなく、上側の小容器４に収容した調理材がこの暖気により温熱されることがない。
【００２６】
即ち、仮に下側の小容器４に熱いみそ汁や暖かいご飯を収容して、上側の小容器４に漬物や生野菜等を含んだおかずを収容した場合、このみそ汁やご飯を温熱な状態に保ち得るとしても、一方で、この熱いみそ汁や暖かいご飯の暖気が、上側の小容器４に収容した漬物や生野菜等を含んだおかずを必要以上に温めてしまい、おかずをある程度の温度（常温）に保つことができない場合があった。この点、本発明は、偏平板５が収容部１の内面と下側の熱いみそ汁や暖かいご飯を収容する小容器４外面との間隙を上方から閉塞して、収容部１の内面と下側の熱いみそ汁や暖かいご飯を収容する小容器４外面との間隙に暖気を閉じ込めるため、下側の小容器４のみそ汁やご飯の温熱を確実に行う一方で、この下側の小容器４に収容した熱いみそ汁や暖かいご飯の暖気が、収容部１の内面と上側の小容器４外面の間隙に上昇することがなくなり、よって、上側の小容器４のおかずが暖気により必要以上に温熱されることがないので、例えば、おかずの温熱を避けるために、おかずを収容体３に入れずに寒冷な外気によりおかずが過度に冷却されてしまうなどといったこともなく、おかずを熱いみそ汁や暖かいご飯とともに収容しても、適温で保持し得るランチジャーとなる。
【００２７】
また、例えば、前記下側に配設される小容器４の上部に前記偏平板５を載置配設してこの小容器４と収容部１の内面との間隙を上方から閉塞してこの下側の小容器４の暖気が上側の小容器４の周囲へ上昇伝達することを阻止するように構成した場合、小容器４を下から順番に重ね入れる際に、この小容器４の上部に偏平板５を載置配設するという簡易な手段で、小容器４と小容器４とが所望の位置で断熱セパレートされ、特別な係止構造や着脱構造を設けずとも所望の位置に簡単に着脱自在にセットでき、前記保温並びに上方への暖気遮断が簡単にして確実となる。
【００２８】
また、例えば、前記偏平板５若しくは偏平板５の前記収容部１の内面に当接する外周縁部は、屈曲柔軟性若しくは弾圧当接し得る弾性を有する材質で構成した場合、この偏平板５の外周縁部が収容部１の内面に簡単に密着する。
【００２９】
また、例えば、前記偏平板５は、柔軟性を有する材質で構成すると共に、補強若しくは保形のための芯材６を埋設若しくは付設した構成とした場合、偏平板５が小容器４と小容器４との間若しくは小容器４の上部に密着して小容器４と小容器４との間若しくは収容部１の内面と小容器４外面との間隙を上方から密着断熱するとともに、芯材６がこの偏平板５を補強及び保形し、取り付けや取り外しの際に変形しないため取り扱い性が向上し、耐久性も向上する。
【００３０】
また、前記偏平板５は、リング状に構成した場合、中空部分の材料が節約でき低コスト化し得るだけでなく、このリング状の偏平板５の内側縁を掴むことにより、取り付けや取り外しが一層容易となる。
【実施例】
【００３１】
本発明の具体的な実施例について図面に基づいて説明する。
【００３２】
本実施例は、図１，２に図示したように、断熱構造を有する収容部１と、この収容部１の上面を覆う蓋部２と、蓋部２で収容部１の上面側を覆った際の閉じ状態を維持するロック装置８と、箸入れ部９とから構成されるとともに、みそ汁やご飯やおかず等の調理材を収容する複数の小容器４を、前記収容部１内に上下複数段積み重ね状態にして収容自在に構成したランチジャーである。
【００３３】
また、本実施例は、前記収容部１の内径と同等若しくは径大な偏平板５を、前記上下複数段積み重ね収容される小容器４と小容器４との間に配設し、この偏平板５の外周縁部をこの収容部１の内面に当接させて、この偏平板５より下側の前記小容器４外面とこの収容部１の内面との間隙を上方から閉塞するように配設した場合である。
【００３４】
以下に各部を詳しく説明する。
【００３５】
前記収容部１は、筒状の容器であって、みそ汁やご飯やおかず等の調理材を保温しながら収容する一般的な断熱構造を有している。
【００３６】
前記蓋部２は、前記収容部１の外径と略同等の内径を有する合成樹脂材からなる無底筒箱状のものであり、この蓋部２を前記収容部１に被嵌することで、この収容部１の上面側を覆う構成としている。
【００３７】
また、前記収容部１の上面側を蓋部２で覆った際の閉じ状態を維持するためにロック装置８が設けられるとともに、この収容部１の外側面には箸入れ部９が設けられている。
【００３８】
前記小容器４は、無蓋状の本体と、その上部の開口部を閉塞及び開放自在な蓋部とから成る一般的なものであり、合成樹脂材等で形成されている。
【００３９】
具体的には、みそ汁を収容するための無蓋状の本体４１ａ及びこの本体の上部開口部を開閉自在な蓋部４２ａによりなる汁容器４Ａ、ご飯を収容するための無蓋状の本体４１ｂ及びこの本体の上部開口部を開閉自在な蓋部４２ｂによりなる飯容器４Ｂ及びおかずを収容するための無蓋状の本体４１ｃ及びこの本体の上部開口部を開閉自在な蓋部４２ｃによりなる菜容器４Ｃにより構成している。
【００４０】
前記偏平板５は、前記収容部１の内径と同等若しくは径大な直径のリング状の盤板であって、このようなリング状の形状とすることで、このリングの内側縁を掴んで、収容部１内への取り付けや取り外しを簡単に行うことができる。
【００４１】
具体的には、このリング状の偏平板５は、シリコンゴム等の柔軟性を有する材質で成形されている。よって、この偏平板の外周縁部が屈曲柔軟性若しくは弾圧当接し得る弾性を有することとなり、従って、本実施例の偏平板５は、図９に図示したように、前記収容部１の内面に屈曲柔軟性若しくは弾圧当接し得ることは勿論、前記小容器４の上側若しくは前記小容器４と小容器４との間に密着当接する。
【００４２】
更に具体的には、この偏平板５は、周縁が平面視において縁端側程狭幅する先細り形状に形成されている。よって、この偏平板５の可尭性が向上し、収容部１に取り付け取り外しする際の取り扱い性が良好となり、この偏平板５の外周縁部が収容部１の内面に一層簡単に密着する。
【００４３】
また、前記偏平板５は、図３，４に図示したように、補強若しくは保形のための芯材６を埋設若しくは付設した構成としている。
【００４４】
具体的には、前記芯材６は、ＰＰ（ポリプロピレン），ＰＥ（ポリエチレン），ＰＥＴ（ポリエチレンテレフタレート）等の樹脂をリング状に形成し、この芯材６を、図３に図示したように前記偏平板５の内周縁部から挿入及び取り外し可能な状態に配設している。
【００４５】
従って、芯材６がこの偏平板５を補強及び保形し、この偏平板５の耐久性が向上し、変形しにくいため、収容部１内への取り付けや取り外しの際に取り扱い性が一層良好となる。
【００４６】
本実施例は、前記芯材６が挟持状態となるように配設した場合を示したが、この芯材６を内部に埋設状態となるように配設しても良く、その場合、芯材６と偏平板５とが一体化するので取り扱い性が良い。
【００４７】
本実施例は、前記偏平板５をリング状に構成した場合を示したが、リング状とするかわりに、図５，６に図示したような偏平板５上面の略中央部分に取手７を設けた偏平板５としても良く、その場合、芯材６が内部に埋設状態となるように配設されるか、若しくは保形性を保ち得る程度の厚みを有する偏平板５とし、この偏平板５を小容器４と小容器４同士が重なり合う部分に配設した場合、リング状偏平板５と比較して小容器４間の断熱性が向上し、小容器４の保温性が一層良好となるが、取手７を成形する必要がないことや、中空部分の材料費の節約等、成形性や量産性、コスト面等を考慮すると、リング状偏平板５とした方が好ましい。
【００４８】
本実施例における前記偏平板５の配設方法を詳しく説明する。
【００４９】
本実施例の偏平板５は、例えば、図１，２に図示したように、汁容器４Ａの上に積み重ねた飯容器４Ｂの上部に載置配設している。また、この偏平板５の上側には、菜容器４Ｃが２段積み重ねられた状態としている。
【００５０】
このように、温かいご飯を収容した飯容器４Ｂとおかずを収容した菜容器４Ｃとの間に、前記偏平板５を配設すると、この偏平板５の外周縁部が収容部１の内面に密着当接した状態となって、収容部１の内面と前記飯容器４Ｂ外面及び前記汁容器４Ａとの間隙が上部から閉塞され、前記飯容器４Ｂ及び前記汁容器４Ａの暖気が収容部１の内面と前記飯容器４Ｂ外面及び前記汁容器４Ａとの間隙に閉じ込められることとなる。
【００５１】
よって、前記偏平板５より下側の前記飯容器４Ｂ及び前記汁容器４Ａに夫々収容された温かいご飯やみそ汁が冷めにくく、保温性が簡単に向上する。
【００５２】
また、前記飯容器４Ｂ及び前記汁容器４Ａの暖気が収容部１の内面と前記飯容器４Ｂ外面及び前記汁容器４Ａとの間隙に閉じ込められて、この暖気が収容部１の内面と上側の菜容器４Ｃ外面との間隙には上昇することがないため、上側の菜容器４Ｃに収容した調理材がこの暖気により温熱されることがない。即ち、上側の菜容器４に漬物や生野菜等を詰めた場合に、この漬物や生野菜等の温熱を防止できる。
【００５３】
更に、上側の菜容器４Ｃと、下側の飯容器４Ｂとが、その間に配設される偏平板５により密着断熱され、前記下側の飯容器４Ｂと上側の菜容器４Ｃとが直接積み重なることにより暖気が伝わることが防止される。
【００５４】
尚、例えば、下側から汁容器４Ａ，飯容器４Ｂ，菜容器４Ｃ，偏平板５，菜容器４Ｃの順で積み重ねた場合、偏平板５の下側の菜容器４Ｃには暖かい調理材を収容して冷めにくくできるとともに、偏平板５の上側の菜容器４Ｃには漬物や生野菜等を収容し、この漬物や生野菜等の温熱を防止することができる。
【００５５】
従って、偏平板５を小容器４の上部に載置配設する簡易な手段で、前記汁容器４Ａや前記飯容器４Ｂ，前記菜容器４Ｃを収容する収容部１と、この収容部１の上部開口部を閉塞する蓋部２とによりなる収容体３の保温性が向上する。
【００５６】
尚、本実施例は、前記偏平板５を複数の小容器４の間に１箇所配設した場合を示したが、図７に図示したように、前記偏平板５を二段に重ねた小容器４の間に１箇所配設した場合においても、本実施例と同様、前記偏平板５より下側の小容器４の保温性が簡単に向上するとともに、この下側の小容器４の暖気により上側の小容器４に収容した調理材が温熱されることがない。
【００５７】
また、図８は、前記偏平板５を複数の小容器４の間に複数箇所配設した場合を図示したものである。
【００５８】
即ち、複数段積み重ね状態にされた全ての小容器４の上部に偏平板５を載置した構成とした場合、収容部１の内面と各小容器４外面の間隙が夫々上方から閉塞されるので各小容器４の夫々の保温性が向上する。
【００５９】
尚、本発明は、本実施例に限られるものではなく、各構成要件の具体的構成は適宜設計し得るものである。
【図面の簡単な説明】
【００６０】
【図１】本実施例のランチジャーの一部切欠きの斜視図である。
【図２】本実施例のランチジャーの側面図である。
【図３】本実施例の偏平板５の斜視図である。
【図４】本実施例の偏平板５の断面図である。
【図５】偏平板５の別例を示す斜視図である。
【図６】偏平板５の別例を示す断面図である。
【図７】ランチジャーの別例を示す側面図である。
【図８】ランチジャーの別例を示す側面図である。
【図９】本実施例の偏平板５と収容部１との当接状態を示す断面図である。
【符号の説明】
【００６１】
１  収容部
２  蓋部
３  収容体
４  小容器
５  偏平板
６  芯材
【図１】
2006042944.tif 000003
【図２】
2006042944.tif 000004
【図３】
2006042944.tif 000005
【図４】
2006042944.tif 000006
【図５】
2006042944.tif 000007
【図６】
2006042944.tif 000008
【図７】
2006042944.tif 000009
【図８】
2006042944.tif 000010
【図９】
2006042944.tif 000011
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
収容部と、この収容部の上部開口部を閉塞する蓋部とによりなる収容体に、みそ汁やご飯やおかず等の調理材を収容する複数の小容器を前記収容部内に上下複数段積み重ね状態にして収容自在に構成したランチジャーにおいて、前記収容部の内径より径大であって且つ屈曲柔軟性若しくは弾圧当接し得る弾性を有する材質で先細り形状に構成された外周縁部を有する偏平板を、この偏平板の前記外周縁部をこの収容部の内面に当接させてこの収容部の内面と前記小容器外面との間隙を上方から閉塞するように配設したことを特徴とするランチジャー。
【請求項２】
前記偏平板を前記上下複数段積み重ね収容される小容器と小容器との間に配設したことを特徴とする請求項１記載のランチジャー。
【請求項３】
前記下側に配設される小容器の上部に前記偏平板を載置配設して、この小容器外面と収容部の内面との間隙を上方から閉塞してこの下側の小容器の暖気が上側の小容器の周囲へ上昇伝達することを阻止するように構成したことを特徴とする請求項１，２のいずれか１項に記載のランチジャー。
【請求項４】
前記偏平板は、柔軟性を有する材質で前記収容部の内径より径大な構成とし、この偏平板を前記上部開口部から前記収容部内へ取り付ける際に、この偏平板の外周縁部を屈曲させて前記収容部の内面に弾圧当接して、この収容部の内面と前記小容器外面との間隙を上方から閉塞するように配設したことを特徴とする請求項１〜３のいずれか１項に記載のランチジャー。
【請求項５】
前記偏平板は、柔軟性を有する材質で構成すると共に、補強若しくは保形のための芯材を埋設若しくは付設したことを特徴とする請求項１〜４のいずれか１項に記載のランチジャー。
【請求項６】
前記扁平板は、リング状に構成されていることを特徴とする請求項１〜５のいずれか１項に記載のランチジャー。
【手続補正２】
【補正対象書類名】明細書
【補正対象項目名】全文
【補正方法】変更
【補正の内容】
【発明の詳細な説明】
【技術分野】
【０００１】
本発明は、ランチジャーに関するものである。
【背景技術】
【０００２】
みそ汁を収容する汁容器やご飯を収容する飯容器、おかずを収容する菜容器等の複数の小容器を同時に収容するタイプのランチジャーは、これら複数の小容器を上下複数段に積み重ねた状態にして断熱構造を有する収容部に収容して蓋をすることにより、各小容器に入った食物の温度を一定時間保温するものである。
【０００３】
従来より、このようなランチジャーの保温性を高めるために、収容部は勿論、蓋や小容器に種々の断熱構造が提案されている。
【発明の開示】
【発明が解決しようとする課題】
【０００４】
ところで、出願人は、上述したランチジャーにおいて、蓋や小容器の断熱構造を簡略にして低コスト化を実現した場合、小容器に収容した調理材が、収容部の内面と小容器外面との間隙の空気を温めて、この温かな空気（暖気）が収容部の内面と小容器外面との隙間を上昇するが、この隙間を上昇した空気（暖気）が蓋側で冷却されてしまうため、各小容器に入った調理材が冷めやすいといった問題とともに、下側の小容器に収容した調理材が収容部の内面と下側の小容器外面との間隙の空気を温めて、この収容部の内面と下側の小容器外面との隙間の温かな空気（暖気）が収容部の内面と上側の小容器外面へ上昇する際、上側の小容器の調理材がこの暖気で温熱され、例えば、下側の小容器に暖かいご飯を詰め、上側の小容器に漬物や生野菜等を含んだおかずを詰めた場合に、この上側のおかずが温熱されてしまうという不都合が生じることを見出した。
【０００５】
即ち、蓋や小容器の断熱構造を簡略にして低コスト化を実現したランチジャーは、小容器に収容した調理材の保温性が今一つ十分ではないという問題が生じる。
【０００６】
本発明は上述の問題点を鑑みこれを解決したもので、簡易な構成にして簡単に組み込み可能な偏平板を備えるだけで、小容器に収容した調理材の保温性を向上できる極めて優れたランチジャーを提供するものである。
【課題を解決するための手段】
【０００７】
添付図面を参照して本発明の要旨を説明する。
【０００８】
収容部１と、この収容部１の上部開口部を閉塞する蓋部２とによりなる収容体３に、みそ汁やご飯やおかず等の調理材を収容する複数の小容器４を前記収容部１内に上下複数段積み重ね状態にして収容自在に構成したランチジャーにおいて、前記収容部１の内径より径大であって且つ屈曲柔軟性若しくは弾圧当接し得る弾性を有する材質で先細り形状に構成された外周縁部を有する偏平板５を、この偏平板５の前記外周縁部をこの収容部１の内面に当接させてこの収容部１の内面と前記小容器４外面との間隙を上方から閉塞するように配設したことを特徴とするランチジャーに係るものである。
【０００９】
また、前記偏平板５を前記上下複数段積み重ね収容される小容器４と小容器４との間に配設したことを特徴とする請求項１記載のランチジャーに係るものである。
【００１０】
また、前記下側に配設される小容器４の上部に前記偏平板５を載置配設して、この小容器４外面と収容部１の内面との間隙を上方から閉塞してこの下側の小容器４の暖気が上側の小容器４の周囲へ上昇伝達することを阻止するように構成したことを特徴とする請求項１，２のいずれか１項に記載のランチジャーに係るものである。
【００１１】
また、前記偏平板５は、柔軟性を有する材質で前記収容部１の内径より径大な構成とし、この偏平板５を前記上部開口部から前記収容部１内へ取り付ける際に、この偏平板５の外周縁部を屈曲させて前記収容部１の内面に弾圧当接して、この収容部１の内面と前記小容器４外面との間隙を上方から閉塞するように配設したことを特徴とする請求項１〜３のいずれか１項に記載のランチジャーに係るものである。
【００１２】
また、前記偏平板５は、柔軟性を有する材質で構成すると共に、補強若しくは保形のための芯材６を埋設若しくは付設したことを特徴とする請求項１〜４のいずれか１項に記載のランチジャーに係るものである。
【００１３】
また、前記扁平板５は、リング状に構成されていることを特徴とする請求項１〜５のいずれか１項に記載のランチジャーに係るものである。
【発明の効果】
【００１４】
本発明は上述のように構成したから、収容部の内径より径大であって且つ屈曲柔軟性若しくは弾圧当接し得る弾性を有する材質で先細り状に構成された外周縁部を有する偏平板の外周縁部が収容部の内周面に屈曲若しくは弾圧当接して収容部の内面と小容器外面との間隙を上方から閉塞して、収容部の内面と小容器外面との間隙に暖気を閉じ込めるため、収容部，蓋部及び小容器に高価なあるいは複雑な断熱構造を施すことなく、しかも、先細り状の外周縁部が可撓することにより容易に取り付け取り外しが可能となり、よって、簡易な構成にして簡単に組み込み可能な前記偏平板を備えるだけで小容器に収容した調理材の保温性を向上できる極めて優れたランチジャーとなる。
【００１５】
また、請求項２に記載の発明によれば、前記偏平板を前記上下複数段積み重ね収容される小容器と小容器との間に配設したことで、この偏平板が収容部の内面と下側の小容器外面との間隙を上方から閉塞して、収容部の内面と下側の小容器外面との間隙に暖気を閉じ込めるため、下側の小容器に収容した調理材の保温性を簡単に向上できるとともに、収容部の内面と下側の小容器外面との間隙に暖気を閉じ込めることにより、この暖気が収容部の内面と上側の小容器外面の間隙に上昇することがなくなり、よって、上側の小容器の調理材がこの暖気で温熱されることがないため、例えば、下側の小容器に暖かいご飯を詰め、上側の小容器に漬物や生野菜等を含んだおかずを詰めた場合に、この上側のおかずの温熱を防止できるランチジャーとなる。
【００１６】
また、請求項３に記載の発明によれば、小容器を下から順番に重ね入れる際に、この小容器の上部に偏平板を載置配設するという簡易な手段で、小容器と小容器とが所望の位置で断熱セパレートできるので、特別な係止構造を着脱構造を設けずとも所望の位置に簡単に着脱自在にセットでき、前記保温並びに上方への暖気遮断が簡単にして確実に果たせる極めて実用性に優れた画期的なランチジャーとなる。
【００１７】
また、請求項４に記載の発明によれば、偏平板を上部開口部から収容部内へ取り付ける際に、この偏平板の外周縁部を屈曲させながら前記収容部の内面に弾圧当接するから、収容部へのこの偏平板の取り付けが簡単となる上、この偏平板の外周縁部と収容部の内周面とを簡単に密着させることができ、よって、小容器に収容した調理材の保温性をより一層簡単に向上できるランチジャーとなる。
【００１８】
また、請求項５に記載の発明によれば、偏平板は柔軟性を有するため、小容器と小容器との間若しくは小容器の上部に密着して小容器と小容器との間若しくは収容部の内面と小容器外面との間隙が上方から密着断熱できるとともに、この柔軟性を有する偏平板が芯材により補強及び保形されるため、この偏平板の耐久性が向上でき、取り付けや取り外しが容易なランチジャーとなる。
【００１９】
また、請求項６に記載の発明によれば、偏平板はリング状であるため、中空部分の材料が節約でき低コスト化し得るだけでなく、このリング状の偏平板の内側縁を掴むことにより、取り付けや取り外しが一層容易なランチジャーとなる。
【発明を実施するための最良の形態】
【００２０】
好適と考える本発明の実施形態（発明をどのように実施するか）を、図面に基づいて本発明の作用を示して簡単に説明する。
【００２１】
複数の小容器４を上下複数段積み重ね状態に収容した収容部１内に、偏平板５を配設する。
【００２２】
この際、前記偏平板５を、前記収容部１の内径より径大とすると共に、屈曲柔軟性若しくは弾圧当接し得る弾性を有する材質で先細り形状に構成された外周縁部を有する構成とし、この偏平板５を前記収容部１の内面と前記小容器４外面との間に生じる間隙の上方に配設すると、前記偏平板５の外周縁部が前記収容部１の内面に屈曲柔軟若しくは弾圧当接しながら収容部１の内面に密着し、前記収容部１の内面と前記小容器４外面との間隙を上方から閉塞する。
【００２３】
よって、収容部１の内面と小容器４外面との間隙に暖気が閉じ込められることとなり、従って、みそ汁やご飯等の調理材を収容する複数の小容器４を収容する収容部１と、この収容部１の上部開口部を閉塞する蓋部２とによりなる収容体３の保温性が向上する。
【００２４】
即ち、従来のように蓋部２や小容器４の断熱構造を簡略にして低コスト化を実現すると、小容器４に収容した調理材が、収容部１の内面と小容器４外面との間隙の空気を温めて、この温かな空気（暖気）が収容部１の内面と小容器４外面との隙間を上昇するが、この隙間を上昇した空気（暖気）が蓋部２側で冷却されてしまうため、各小容器４に入った調理材が冷めやすい場合があった。この点、本発明は、偏平板５が収容部１の内面と小容器４外面との間隙を上方から閉塞して、収容部１の内面と小容器４外面との間隙に暖気を閉じ込めるため、この暖気が蓋部２側で冷却されることがなくなり、よって、収容部１，蓋部２及び小容器４に高価なあるいは複雑な断熱構造を施すことなく、簡易な構成にして簡単に組み込み可能な前記偏平板５を備えるだけで、小容器４に収容した調理材の保温性が向上する。
【００２５】
また、例えば、前記偏平板５を前記上下複数段積み重ね収容される小容器４と小容器４との間に載置配設した構成とした場合、収容部１の内面と下側の小容器４外面との間隙に暖気を閉じ込めることにより、下側の小容器４に収容した調理材の保温性を簡単に向上できるとともに、この暖気が収容部１の内面と上側の小容器４外面の間隙に上昇することがなく、上側の小容器４に収容した調理材がこの暖気により温熱されることがない。
【００２６】
即ち、仮に下側の小容器４に熱いみそ汁や暖かいご飯を収容して、上側の小容器４に漬物や生野菜等を含んだおかずを収容した場合、このみそ汁やご飯を温熱な状態に保ち得るとしても、一方で、この熱いみそ汁や暖かいご飯の暖気が、上側の小容器４に収容した漬物や生野菜等を含んだおかずを必要以上に温めてしまい、おかずをある程度の温度（常温）に保つことができない場合があった。この点、本発明は、偏平板５が収容部１の内面と下側の熱いみそ汁や暖かいご飯を収容する小容器４外面との間隙を上方から閉塞して、収容部１の内面と下側の熱いみそ汁や暖かいご飯を収容する小容器４外面との間隙に暖気を閉じ込めるため、下側の小容器４のみそ汁やご飯の温熱を確実に行う一方で、この下側の小容器４に収容した熱いみそ汁や暖かいご飯の暖気が、収容部１の内面と上側の小容器４外面の間隙に上昇することがなくなり、よって、上側の小容器４のおかずが暖気により必要以上に温熱されることがないので、例えば、おかずの温熱を避けるために、おかずを収容体３に入れずに寒冷な外気によりおかずが過度に冷却されてしまうなどといったこともなく、おかずを熱いみそ汁や暖かいご飯とともに収容しても、適温で保持し得るランチジャーとなる。
【００２７】
また、例えば、前記下側に配設される小容器４の上部に前記偏平板５を載置配設してこの小容器４と収容部１の内面との間隙を上方から閉塞してこの下側の小容器４の暖気が上側の小容器４の周囲へ上昇伝達することを阻止するように構成した場合、小容器４を下から順番に重ね入れる際に、この小容器４の上部に偏平板５を載置配設するという簡易な手段で、小容器４と小容器４とが所望の位置で断熱セパレートされ、特別な係止構造や着脱構造を設けずとも所望の位置に簡単に着脱自在にセットでき、前記保温並びに上方への暖気遮断が簡単にして確実となる。
【００２８】
また、例えば、前記偏平板５は、柔軟性を有する材質で前記収容部１の内径より径大な構成とし、この偏平板５を前記上部開口部から前記収容部１内へ取り付ける際に、この偏平板５の外周縁部を屈曲させて前記収容部１の内面に弾圧当接して、この収容部１の内面と前記小容器４外面との間隙を上方から閉塞するように配設した構成とした場合、偏平板５の外周縁部が屈曲しながら前記収容部１の内面に弾圧当接する為、この偏平板５を収容部１に取り付け取り外しする際の取扱い性が良好となる上、この偏平板５の外周縁部と収容部１の内面とが簡単に密着する。
【００２９】
また、例えば、前記偏平板５は、柔軟性を有する材質で構成すると共に、補強若しくは保形のための芯材６を埋設若しくは付設した構成とした場合、偏平板５が小容器４と小容器４との間若しくは小容器４の上部に密着して小容器４と小容器４との間若しくは収容部１の内面と小容器４外面との間隙を上方から密着断熱するとともに、芯材６がこの偏平板５を補強及び保形し、取り付けや取り外しの際に変形しないため取り扱い性が向上し、耐久性も向上する。
【００３０】
また、前記偏平板５は、リング状に構成した場合、中空部分の材料が節約でき低コスト化し得るだけでなく、このリング状の偏平板５の内側縁を掴むことにより、取り付けや取り外しが一層容易となる。
【実施例】
【００３１】
本発明の具体的な実施例について図面に基づいて説明する。
【００３２】
本実施例は、図１，２に図示したように、断熱構造を有する収容部１と、この収容部１の上面を覆う蓋部２と、蓋部２で収容部１の上面側を覆った際の閉じ状態を維持するロック装置８と、箸入れ部９とから構成されるとともに、みそ汁やご飯やおかず等の調理材を収容する複数の小容器４を、前記収容部１内に上下複数段積み重ね状態にして収容自在に構成したランチジャーである。
【００３３】
また、本実施例は、前記収容部１の内径と同等若しくは径大な偏平板５を、前記上下複数段積み重ね収容される小容器４と小容器４との間に配設し、この偏平板５の外周縁部をこの収容部１の内面に当接させて、この偏平板５より下側の前記小容器４外面とこの収容部１の内面との間隙を上方から閉塞するように配設した場合である。
【００３４】
以下に各部を詳しく説明する。
【００３５】
前記収容部１は、筒状の容器であって、みそ汁やご飯やおかず等の調理材を保温しながら収容する一般的な断熱構造を有している。
【００３６】
前記蓋部２は、前記収容部１の外径と略同等の内径を有する合成樹脂材からなる無底筒箱状のものであり、この蓋部２を前記収容部１に被嵌することで、この収容部１の上面側を覆う構成としている。
【００３７】
また、前記収容部１の上面側を蓋部２で覆った際の閉じ状態を維持するためにロック装置８が設けられるとともに、この収容部１の外側面には箸入れ部９が設けられている。
【００３８】
前記小容器４は、無蓋状の本体と、その上部の開口部を閉塞及び開放自在な蓋部とから成る一般的なものであり、合成樹脂材等で形成されている。
【００３９】
具体的には、みそ汁を収容するための無蓋状の本体４１ａ及びこの本体の上部開口部を開閉自在な蓋部４２ａによりなる汁容器４Ａ、ご飯を収容するための無蓋状の本体４１ｂ及びこの本体の上部開口部を開閉自在な蓋部４２ｂによりなる飯容器４Ｂ及びおかずを収容するための無蓋状の本体４１ｃ及びこの本体の上部開口部を開閉自在な蓋部４２ｃによりなる菜容器４Ｃにより構成している。
【００４０】
前記偏平板５は、前記収容部１の内径と同等若しくは径大な直径のリング状の盤板であって、このようなリング状の形状とすることで、このリングの内側縁を掴んで、収容部１内への取り付けや取り外しを簡単に行うことができる。
【００４１】
具体的には、このリング状の偏平板５は、シリコンゴム等の柔軟性を有する材質で成形されている。よって、この偏平板の外周縁部が屈曲柔軟性若しくは弾圧当接し得る弾性を有することとなり、従って、本実施例の偏平板５は、図９に図示したように、前記収容部１の内面に屈曲柔軟若しくは弾圧当接し得ることは勿論、前記小容器４の上側若しくは前記小容器４と小容器４との間に密着当接する。
【００４２】
更に具体的には、この偏平板５は、周縁が平面視において縁端側程狭幅する先細り形状に形成されている。よって、この偏平板５の周縁の可撓性が向上し、収容部１に取り付け取り外しする際の取り扱い性が良好となり、この偏平板５の外周縁部が収容部１の内面に一層簡単に密着する。
【００４３】
また、前記偏平板５は、図３，４に図示したように、補強若しくは保形のための芯材６を埋設若しくは付設した構成としている。
【００４４】
具体的には、前記芯材６は、ＰＰ（ポリプロピレン），ＰＥ（ポリエチレン），ＰＥＴ（ポリエチレンテレフタレート）等の樹脂をリング状に形成し、この芯材６を、図３に図示したように前記偏平板５の内周縁部から挿入及び取り外し可能な状態に配設している。
【００４５】
従って、芯材６がこの偏平板５を補強及び保形し、この偏平板５の耐久性が向上し、変形しにくいため、収容部１内への取り付けや取り外しの際に取り扱い性が一層良好となる。
【００４６】
本実施例は、前記芯材６が挟持状態となるように配設した場合を示したが、この芯材６を内部に埋設状態となるように配設しても良く、その場合、芯材６と偏平板５とが一体化するので取り扱い性が良い。
【００４７】
本実施例は、前記偏平板５をリング状に構成した場合を示したが、リング状とするかわりに、図５，６に図示したような偏平板５上面の略中央部分に取手７を設けた偏平板５としても良く、その場合、芯材６が内部に埋設状態となるように配設されるか、若しくは保形性を保ち得る程度の厚みを有する偏平板５とし、この偏平板５を小容器４と小容器４同士が重なり合う部分に配設した場合、リング状偏平板５と比較して小容器４間の断熱性が向上し、小容器４の保温性が一層良好となるが、取手７を成形する必要がないことや、中空部分の材料費の節約等、成形性や量産性、コスト面等を考慮すると、リング状偏平板５とした方が好ましい。
【００４８】
本実施例における前記偏平板５の配設方法を詳しく説明する。
【００４９】
本実施例の偏平板５は、例えば、図１，２に図示したように、汁容器４Ａの上に積み重ねた飯容器４Ｂの上部に載置配設している。また、この偏平板５の上側には、菜容器４Ｃが２段積み重ねられた状態としている。
【００５０】
このように、温かいご飯を収容した飯容器４Ｂとおかずを収容した菜容器４Ｃとの間に、前記偏平板５を配設すると、この偏平板５の外周縁部が収容部１の内面に密着当接した状態となって、収容部１の内面と前記飯容器４Ｂ外面及び前記汁容器４Ａとの間隙が上部から閉塞され、前記飯容器４Ｂ及び前記汁容器４Ａの暖気が収容部１の内面と前記飯容器４Ｂ外面及び前記汁容器４Ａとの間隙に閉じ込められることとなる。
【００５１】
よって、前記偏平板５より下側の前記飯容器４Ｂ及び前記汁容器４Ａに夫々収容された温かいご飯やみそ汁が冷めにくく、保温性が簡単に向上する。
【００５２】
また、前記飯容器４Ｂ及び前記汁容器４Ａの暖気が収容部１の内面と前記飯容器４Ｂ外面及び前記汁容器４Ａとの間隙に閉じ込められて、この暖気が収容部１の内面と上側の菜容器４Ｃ外面との間隙には上昇することがないため、上側の菜容器４Ｃに収容した調理材がこの暖気により温熱されることがない。即ち、上側の菜容器４に漬物や生野菜等を詰めた場合に、この漬物や生野菜等の温熱を防止できる。
【００５３】
更に、上側の菜容器４Ｃと、下側の飯容器４Ｂとが、その間に配設される偏平板５により密着断熱され、前記下側の飯容器４Ｂと上側の菜容器４Ｃとが直接積み重なることにより暖気が伝わることが防止される。
【００５４】
尚、例えば、下側から汁容器４Ａ，飯容器４Ｂ，菜容器４Ｃ，偏平板５，菜容器４Ｃの順で積み重ねた場合、偏平板５の下側の菜容器４Ｃには暖かい調理材を収容して冷めにくくできるとともに、偏平板５の上側の菜容器４Ｃには漬物や生野菜等を収容し、この漬物や生野菜等の温熱を防止することができる。
【００５５】
従って、偏平板５を小容器４の上部に載置配設する簡易な手段で、前記汁容器４Ａや前記飯容器４Ｂ，前記菜容器４Ｃを収容する収容部１と、この収容部１の上部開口部を閉塞する蓋部２とによりなる収容体３の保温性が向上する。
【００５６】
尚、本実施例は、前記偏平板５を複数の小容器４の間に１箇所配設した場合を示したが、図７に図示したように、前記偏平板５を二段に重ねた小容器４の間に１箇所配設した場合においても、本実施例と同様、前記偏平板５より下側の小容器４の保温性が簡単に向上するとともに、この下側の小容器４の暖気により上側の小容器４に収容した調理材が温熱されることがない。
【００５７】
また、図８は、前記偏平板５を複数の小容器４の間に複数箇所配設した場合を図示したものである。
【００５８】
即ち、複数段積み重ね状態にされた全ての小容器４の上部に偏平板５を載置した構成とした場合、収容部１の内面と各小容器４外面の間隙が夫々上方から閉塞されるので各小容器４の夫々の保温性が向上する。
【００５９】
尚、本発明は、本実施例に限られるものではなく、各構成要件の具体的構成は適宜設計し得るものである。
【図面の簡単な説明】
【００６０】
【図１】本実施例のランチジャーの一部切欠きの斜視図である。
【図２】本実施例のランチジャーの側面図である。
【図３】本実施例の偏平板５の斜視図である。
【図４】本実施例の偏平板５の断面図である。
【図５】偏平板５の別例を示す斜視図である。
【図６】偏平板５の別例を示す断面図である。
【図７】ランチジャーの別例を示す側面図である。
【図８】ランチジャーの別例を示す側面図である。
【図９】本実施例の偏平板５と収容部１との当接状態を示す断面図である。
【符号の説明】
【００６１】
１  収容部
２  蓋部
３  収容体
４  小容器
５  偏平板
６  芯材